(57)【要約】      （修正有）【課題】コテージの居住性、テントの軽量化と組立、解体の簡易性を最大限活かす事により、自然災害時やアウトドアに、より良い居住環境を実現できる２階組み立てテントを提供する。【解決手段】各部材の長さを、折りたたみとスライドにより、ほぼ同じ位にし、コンパクトにまとめ、持ち運びやすくし、組み立ての簡易性は、折りたたみとスライドと組み込む形で組立てを簡易にした。【選択図】図８
0003155009.tif 000002
【実用新案登録請求の範囲】
【請求項１】
折りたたみテントの骨組（１）の柱（１ａ）、小屋組（１ｄ）をスライドできるようにし、小屋組（１ｄ）のスライド後テント（２）を被せる。柱（１ａ）に、高さ調整機（１ｈ）・１階梁受座（１ｊ）・２階梁受座（１ｋ）・桁（１ｆ）・筋かい（１ｇ）・方づえ（１ｅ）・火打（１ｉ）を設けて、柱（１ａ）より上に柱（１ｂ）と柱（１ａ）を上にスライドさせて柱（１ｃ）を出して、２階の高さをとるようにして１、２階床組下地は、それぞれの梁受座に組み込み、水平、高さを１階梁（３，３ａ）に水平器を設けて調整する。その上に折りたたみパネル（５）を設置して出来る、２階組み立てテント。
【考案の詳細な説明】
【技術分野】
【０００１】この考案は、自然災害時の避難所・アウトドア・各イベントの仮設テント等の簡易居住として使用する、２階組み立てテント。
【背景技術】
【０００２】従来、自然災害時は公共施設の避難所・仮設プレハブ・テントが使用されている。
アウトドアについては、テント・バンガロー・コテージが使用されている。
【先行技術文献】
【特許文献】
【０００３】
【特許文献１】特開平２００３−３２８５９８
【非特許文献】
【０００４】
【非特許文献１】「ガルヴィ２００８年５月号Ｐ２９
【考案の概要】
【考案が解決しようとする課題】
【０００５】公共施設の避難所の場合、団体生活になり、プライパシーが確保できず、また窮屈な状態になっている。
仮設プレハブの場合、多くの資材と輸送と組み立てに技術的労力、数人の作業員が必要で、多くの時間がかかる。
テントの場合、平坦な場所の確保が必要で、地面からくる湿気と冷気があり居住性はあまり良いとは言えない。
バンガロー、コテージについては、固定式が多く、基礎・土台・床下地まで水平に設置組立が必要で、さらに壁、屋根と種類・形状の異なった資材を順に間違いのないように組み立てるため、組立にも煩雑な手間が多くの作業の迅速化があまり望めない。
本考案は、以上のような欠点をなくするためになされたものである。
【課題を解決するための手段】
【０００６】考案の２階組み立てテントは、折りたたみテントの骨組み・各部材の長さを、折りたたみとスライドにより、ほぼ同じ位にし、軽自動車のルーフキャリアに積載して持ち運びやすくし、組み立ての簡易性は、折りたたみとスライドと組み込む形で、組み立てを簡易にした。水平、高さ調整は、１階梁（３，３ａ）に水平器を設けて、調整する。床板は折りたたみパネルとし４枚で１組、４組で１階分とした。
【考案の効果】
【０００７】各部材の長さをほぼ同じ位で、コンパクトにまとまり、運搬が容易で、組み立てが簡単になり、居住空間の容積と多様性が増した。
【図面の簡単な説明】
【０００８】
【図１】  折りたたんだテントの骨組斜視図
【図２】  開いたテントの骨組斜視図
【図３】  テントの骨組の小屋組スライド斜視図
【図４】  テントの骨組の柱スライド斜視図
【図５】  ２階組み立てテントの１階床組斜視図
【図６】  テントの骨組の柱スライド斜視図
【図７】  ２階組み立てテントの２階床組斜視図
【図８】  各部材の収納と２階組み立てテントの完成斜視図
【考案を実施するための形態】
【０００９】折りたたみテントの骨組（１）の支柱より伸びている小屋組（１ｄ）をスライドにして柱（１ａ）に、桁（１ｆ）、方づえ（１ｅ）、筋かい（１ｇ）、１階梁と２階梁の受座（１ｊ、１ｋ）、高さ調整機（１ｈ）を設けて、柱（１ａ）よりスライドして柱（１ｂ）と柱（１ｃ）を伸ばして、２階の高さをとれるようにした。
折りたたみテントの骨組の水平を、１階梁（３、３ａ）に水平器を設けて、柱（１ｃ）の１階梁受座（１ｊ）に、組み込んで各柱の水平、高さ調整を行う、床組の梁、根太は、すべて組み込んで固定とした。
２階床組の梁、根太は、間柱にピン固定した筋かい（４）と支柱を立てて設置する、その上に折りたたみパネル（５）４組で１セット（１階分）を設置して出来る２階組み立てテント
【実施例】
【００１０】図面を参照しながら、本考案の組み立てテントの実施例を説明する。
（図１）折りたたみテントの骨組を立て、所定の位置まで広げて（図３）小屋組（１ｄ）を横スライドさせ、桁（１ｆ）と火打（１ｉ）を固定し、テントを被せる。（図４）小屋組（１ｄ）と支柱（１ｌ）を押し上げて、柱（１ａ）より、柱（１ｂ）をスライドさせ、柱（１ａ）と桁（１ｆ）を筋かい（１ｇ）を固定する。
（図５）１階床組の梁（３，３ａ）を柱（１ｃ）の梁受座（１ｊ）に組み込んで梁（３，３ａ）に設けた水平器で、水平、高さ調整を行い、梁（３ｂ、３ｃ）、高さ調整機（３ｅ）と根太（３ｄ）を組み込んで、折りたたみパネル（５）を設置する。
（ハ）（図６）２階梁受座（１ｋ）の位置まで、柱（１ａ）を小屋組（１ｄ）と支柱（１ｌ）を押し上げて、柱（１ｃ）を出して固定し、間柱、筋かい（４）と支柱を立て、２階梁受座（１ｋ）に各梁を組み込んで固定し、折りたたみパネルを設置して、テント（２ａ）を取付て出来る組み立てテント。
【産業上の利用可能性】
【００１１】本考案は、自然災害時の避難所、アウトドア、休憩所、仮設事務所、各イベント、仮設店舗等の簡易居住として床組なしのテント・１階床組テント・２階床組テントと使いわけて使用することができる。
【符号の説明】
【００１２】１．折りたたみテントの骨組
１ａ．柱
１ｂ．スライド柱
１ｃ．スライド柱
１ｄ．小屋組
１ｅ．方づえ
１ｆ．桁
１ｇ．筋かい
１ｈ．高調整機
１ｉ．火打
１ｊ．１階梁受座
１ｋ．２階梁受座
１ｌ．支柱
２．テント
２ａ．１階テント
３．１、２階梁
３ａ．１、２階受座付梁
３ｂ．１、２階受座付梁
３ｃ．１、２階継ぎ梁
３ｄ．根太
３ｅ．高さ調整機
４．間柱・筋かい一体
５．折りたたみ床パネル
６．ハシゴ
【図１】
0003155009.tif 000003
【図２】
0003155009.tif 000004
【図３】
0003155009.tif 000005
【図４】
0003155009.tif 000006
【図５】
0003155009.tif 000007
【図６】
0003155009.tif 000008
【図７】
0003155009.tif 000009
【図８】
0003155009.tif 000010
【手続補正書】
【提出日】平成21年8月5日(2009.8.5)
【手続補正１】
【補正対象書類名】実用新案登録請求の範囲
【補正対象項目名】全文
【補正方法】変更
【補正の内容】
【実用新案登録請求の範囲】
【請求項１】
「２階組み立テントにおいて
（１）折りたたみテントの骨組（１）の柱（１ａ）小屋組（１ｄ）をスライドして桁（１ｆ）廻りを固定した後テント（２）を被せ、
（２）柱（１ａ）に高さ調整機（１ｈ）１階梁受座（１ｊ）２階梁受座（１ｋ）筋かい（１ｇ）方づえ（１ｅ）火打（１ｉ）を設けて柱（１ａ）より上に柱（１ｂ）と柱（１ａ）を上にスライドさせて柱（１ｃ）を出し、それぞれを固定して２階の高さをとり、
（３）１、２階床組下地はそれぞれの梁受座に組み込み、水平、高さを１階梁（３・３ａ）に水平器を設けて調整して、その上に１、２階の折りたたみパネル（５）を設置する、
以上からなる２階組立テント。」
【手続補正書】
【提出日】平成21年8月5日(2009.8.5)
【手続補正１】
【補正対象書類名】明細書
【補正対象項目名】全文
【補正方法】変更
【補正の内容】
【考案の詳細な説明】
【技術分野】
【０００１】この考案は、自然災害時の避難所・アウトドア・各イベントの仮設テント等の簡易居住として使用する、２階組み立てテント。
【背景技術】
【０００２】従来、自然災害時は公共施設の避難所・仮設プレハブ・テントが使用されている。
アウトドアについては、テント・バンガロー・コテージが使用されている。
【先行技術文献】
【特許文献】
【０００３】
【特許文献１】特開平２００４−２７０４３２
【非特許文献】
【０００４】
【非特許文献１】「ガルヴィ２００８年５月号Ｐ２９
【考案の概要】
【考案が解決しようとする課題】
【０００５】（１）公共施設の避難所の場合、団体生活になり、プライパシーが確保できず、また窮屈な状態になっている。
（２）仮設プレハブの場合、多くの資材と輸送と組み立てに技術的労力、数人の作業員が必要で、多くの時間がかかる。
（３）テントの場合、平坦な場所の確保が必要で、地面からくる湿気と冷気があり居住性はあまり良いとは言えない。
（４）バンガロー、コテージについては、固定式が多く、基礎・土台・床下地まで水平に設置組立が必要で、さらに壁、屋根と種類・形状の異なった資材を順に間違いのないように組み立てるため、組立にも煩雑な手間が多くの作業の迅速化があまり望めない。
本考案は、以上のような欠点をなくするためになされたものである。
【課題を解決するための手段】
【０００６】考案の２階組み立てテントは、
折りたたみテントの骨組み、各部材の長さを折りたたみとスライドにより、ほぼ同じ位にし軽自動車のルーフキャリアに積載して持ち運びやすくし、
組み立ての簡易性は折りたたみとスライドとに組み込む形で組み立てを簡易にし、
水平、高さ調整は１階梁（３，３ａ）に水平器を設けて調整し、床板は折りたたみパネルとし４枚で１組、４組で１階分とした。
【考案の効果】
【０００７】各部材の長さをほぼ同じ位で、コンパクトにまとまり、運搬が容易で、組み立てが簡単になり、居住空間の容積と多様性が増した。
【図面の簡単な説明】
【０００８】
【図１】折りたたんだテントの骨組斜視図
【図２】開いたテントの骨組斜視図
【図３】テントの骨組の小屋組スライド斜視図
【図４】テントの骨組の柱スライド斜視図
【図５】２階組み立てテントの１階床組斜視図
【図６】テントの骨組の柱スライド斜視図
【図７】２階組み立てテントの２階床組斜視図
【図８】各部材の収納と２階組み立てテントの完成斜視図
【考案を実施するための形態】
【０００９】折りたたみテントの骨組（１）の支柱より伸びている小屋組（１ｄ）をスライドにして柱（１ａ）に桁（１ｆ）方づえ（１ｅ）筋かい（１ｇ）１階梁と２階梁の受座（１ｊ、１ｋ）高さ調整機（１ｈ）を設けて柱（１ａ）よりスライドして柱（１ｂ）と柱（１ｃ）を伸ばして２階の高さをとれるようにし、
折りたたみテントの骨組の水平を１階梁（３、３ａ）に水平器を設けて柱（１ｃ）の１階梁受座（１ｊ）に組み込んで各柱の水平、高さ調整を行う、
床組の梁、根太は、すべて組み込んで固定とし、
２階床組の梁、根太は間柱にピン固定した筋かい（４）と支柱を立てて設置する、
その上に折りたたみパネル（５）４組×２を設置して出来る２階組み立てテント。
【実施例】
【００１０】図面を参照しながら、本考案の組み立てテントの実施例を説明する。
（図１）折りたたみテントの骨組を立て、所定の位置まで広げて（図３）小屋組（１ｄ）を横スライドさせ桁（１ｆ）と火打（１ｉ）を固定しテントを被せる。（図４）小屋組（１ｄ）と支柱（１ｌ）を押し上げて柱（１ａ）より柱（１ｂ）をスライドさせ、柱（１ａ）と桁（１ｆ）筋かい（１ｇ）を固定する。
（図５）１階床組の梁（３，３ａ）を柱（１ｃ）の梁受座（１ｊ）に組み込んで梁（３，３ａ）に設けた水平器で、水平、高さ調整を行い、梁（３ｂ、３ｃ）高さ調整機（３ｅ）と根太（３ｄ）を組み込んで折りたたみパネル（５）を設置する。
（図６）２階梁受座（１ｋ）の位置まで柱（１ａ）を小屋組（１ｄ）と支柱（１ｌ）を押し上げて柱（１ｃ）を出して固定し間柱、筋かい（４）と支柱を立て、２階梁受座（１ｋ）に各梁を組み込んで固定し、折りたたみパネルを設置してテント（２ａ）を取付て出来る２階組み立てテント。
【産業上の利用可能性】
【００１１】本考案は、自然災害時の避難所、アウトドア、休憩所、仮設事務所、各イベント、仮設店舗等の簡易居住として床組なしのテント・１階床組テント・２階床組テントと使いわけて使用することができる。
【符号の説明】
【００１２】  １．折りたたみテントの骨組
１ａ．柱
１ｂ．スライド柱
１ｃ．スライド柱
１ｄ．小屋組
１ｅ．方づえ
１ｆ．桁
１ｇ．筋かい
１ｈ．高調整機
１ｉ．火打
１ｊ．１階梁受座
１ｋ．２階梁受座
１ｌ．支柱
２．テント
２ａ．１階テント
３．１、２階梁
３ａ．１、２階受座付梁
３ｂ．１、２階受座付梁
３ｃ．１、２階継ぎ梁
３ｄ．根太
３ｅ．高さ調整機
４．間柱・筋かい一体
５．折りたたみ床パネル
６．ハシゴ